(57)【要約】【課題】本発明は、コンテンツ管理方法に関し、例えば音楽コンテンツの管理に適用して、従来に比して、一段と確実に著作権を保護することができるようにする。【解決手段】本発明は、通信可能に保持された管理用サーバーにより、少なくともコンテンツＩＤ、ユーザーＩＤ、ソースＩＤを記録し、この記録による管理によりコンテンツの利用を制限する。【選択図】        図１
2004206826.tif 000002
【特許請求の範囲】
【請求項１】
コンテンツを記録及び又は再生するコンテンツ処理装置における前記コンテンツの利用を管理するコンテンツ管理方法において、
前記コンテンツ処理装置に係るユーザーを特定するユーザーＩＤと、前記コンテンツを特定するコンテンツＩＤと、前記コンテンツの提供源を特定するソースＩＤと、前記コンテンツ処理装置における各コンテンツの利用の履歴とを、前記コンテンツ処理装置と通信可能に保持された管理用データベースに記録し、
前記管理用データベースの記録に基づいて、前記コンテンツ処理装置における前記コンテンツの利用を制限する
ことを特徴とするコンテンツ管理方法。
【請求項２】
前記コンテンツ処理装置が、光ディスクを再生する再生装置であり、
前記コンテンツＩＤ及びソースＩＤが記録されて前記光ディスクが提供され、
前記ソースＩＤが、前記光ディスクに固有のＩＤであり、
前記ユーザーＩＤを前記光ディスクに記録して保持する
ことを特徴とする請求項１に記載のコンテンツ管理方法。
【請求項３】
前記コンテンツ処理装置における前記コンテンツの利用の制限が、コピー回数の制限である
ことを特徴とする請求項１に記載のコンテンツ管理方法。
【請求項４】
前記コンテンツ処理装置における前記コンテンツの利用の制限が、再生回数の制限である
ことを特徴とする請求項１に記載のコンテンツ管理方法。
【発明の詳細な説明】
【０００１】
【発明の属する技術分野】
本発明は、コンテンツ管理方法に関し、例えば音楽コンテンツの管理に適用することができる。本発明は、通信可能に保持された管理用サーバーにより、少なくともコンテンツＩＤ、ユーザーＩＤ、ソースＩＤを記録し、この記録による管理によりコンテンツの利用を制限することにより、従来に比して、一段と確実に著作権を保護することができるようにする。
【０００２】
【従来の技術】
従来、音楽コンテンツ、映像コンテンツ等においては、著作権者の利益を保護する工夫がなされるようになされている。すなわちこの種のコンテンツに係る映像機器、オーディオ機器等においては、ＳＣＭＳ（Serial Copy Management System ）等によりディジタル信号による音楽コンテンツ、映像コンテンツ等のいわゆる孫コピーを禁止するようになされている。またコンピュータにおいては、コンテンツ処理用のアプリケーションプログラムにより、コピー回数を所定回数に制限するようになされている。
【０００３】
これに対して例えば例えば特開２００１−４３１９２号公報においては、このようなコピー等の制限に利用可能に、コンテンツを構成する電子データにユニークなＩＤを設定して配信する方法が提案されるようになされている。
【０００４】
【特許文献１】
特開２００１−４３１９２号公報
【０００５】
【発明が解決しようとする課題】
ところでＳＣＭＳによるコピーの制限においては、いわゆる孫コピーについては防止できるものの、オリジナルのコンテンツについては、何らコピー回数を制限することが困難なことにより、著作権の保護に関して、実用上、未だ不十分な問題がある。
【０００６】
これに対してアプリケーションプログラムによるコピー回数の制限においては、アプリケーションプログラムの再インストールにより、制限の回数を越えてコピーすることができ、これによりこの方法においても、著作権の保護に関して、実用上、未だ不十分な問題がある。
【０００７】
本発明は以上の点を考慮してなされたもので、従来に比して、一段と確実に著作権を保護することができるコンテンツ管理方法を提案しようとするものである。
【０００８】
【課題を解決するための手段】
かかる課題を解決するため請求項１の発明においては、コンテンツを記録及び又は再生するコンテンツ処理装置におけるコンテンツの利用を管理するコンテンツ管理方法に適用して、コンテンツ処理装置に係るユーザーを特定するユーザーＩＤと、コンテンツを特定するコンテンツＩＤと、コンテンツの提供源を特定するソースＩＤと、コンテンツ処理装置における各コンテンツの利用の履歴とを、コンテンツ処理装置と通信可能に保持された管理用データベースに記録し、管理用データベースの記録に基づいて、コンテンツ処理装置におけるコンテンツの利用を制限する。
【０００９】
請求項１の構成によれば、コンテンツを記録及び又は再生するコンテンツ処理装置におけるコンテンツの利用を管理するコンテンツ管理方法に適用して、コンテンツ処理装置に係るユーザーを特定するユーザーＩＤと、コンテンツを特定するコンテンツＩＤと、コンテンツの提供源を特定するソースＩＤと、コンテンツ処理装置における各コンテンツの利用の履歴とを、コンテンツ処理装置と通信可能に保持された管理用データベースに記録し、管理用データベースの記録に基づいて、コンテンツ処理装置におけるコンテンツの利用を制限することにより、利用の制限に対する利用の状況においては、管理用データベースにより管理することができる。これにより例えばコンテンツ利用装置側において管理用アプリケーションプログラムを再インストールした場合等にあっても、確実にコンテンツの利用を制限し、著作権を保護することができる。
【００１０】
【発明の実施の形態】
以下、適宜図面を参照しながら本発明の実施の形態を詳述する。
【００１１】
（１）実施の形態の構成
図２は、本発明の実施の形態に係るコンテンツ流通システムを示す略線図である。このコンテンツ流通システム１では、光ディスク２等の記録媒体により音楽コンテンツ、映像コンテンツがユーザーに提供され、またＥＭＤ（Electronic Music Distribution ）、ディジタル放送等により音楽コンテンツ３、映像コンテンツ４がユーザーに提供される。
【００１２】
このコンテンツ流通システム１では、このようにして提供される音楽コンテンツ、映像コンテンツに、コンテンツの利用に係る情報が付加されて提供される。ここでこのコンテンツの利用に係る情報は、図３に示すように、コンテンツＩＤ、ソースＩＤ、制御情報により構成される。
【００１３】
このうちコンテンツＩＤは、各コンテンツを特定するＩＤであり、各コンテンツに固有のＩＤにより形成される。これにより例えばこのコンテンツが光ディスクに記録されて提供される場合、コンテンツＩＤは、この光ディスクに記録された音楽毎に、光ディスクに記録されて提供されるようになされている。またこのような記録媒体によるコンテンツが、既に発売済の光ディスクに記録されたものであって、何ら編曲等することなく、いわゆるリカバーされた音楽の場合、この既に記録済の光ディスクで割り当てられたコンテンツＩＤと同一のコンテンツＩＤが割り当てられるようになされている。またこのような光ディスクに記録されて提供されたコンテンツがＥＭＤ、放送等により後日、改めて提供される場合でも、同一のコンテンツＩＤが適用されるようになされている。
【００１４】
これに対してソースＩＤは、ユーザーへのコンテンツの提供源を特定するＩＤであり、このコンテンツが光ディスク等による記録媒体により提供される場合、個々の記録媒体に固有のＩＤであるディスクＩＤ等により形成されるようになされている。これに対してＥＭＤによるコンテンツの場合、配信元を特定するＩＤにより形成される。また放送によるコンテンツの場合、少なくとも放送局を特定可能な固有のＩＤにより形成されるようになされている。
【００１５】
これに対して制限情報は、コンテンツの利用を制限する具体的な情報により構成され、例えば無制限なコピーの許可、許可するコピー回数、許可するコピー世代、許可する再生回数等、第三者によるコンテンツの利用許可等を特定する情報により構成されるようになされている。
【００１６】
このコンテンツの利用に係る情報は、ユーザーにより改竄困難にコンテンツに付加されるようなされている。なおこのようにユーザーにより改竄困難とする方法としては、例えば暗号化、電子透かしの技術によりコンテンツに埋め込む方法等を適用することができる。
【００１７】
これに対してこのようなコンテンツの提供に供する記録媒体のうち、光ディスク２においては、いわゆるハイブリッド型の光ディスクであり、一部記録領域が書き換え可能な情報記録面により形成され、この実施の形態では、この記録領域が後述するユーザーＩＤの記録領域に割り当てられるようになされている。
【００１８】
記録再生装置５は、このようにして提供されるコンテンツを記録、再生する光ディスク装置であり、ハードディスクドライブを内蔵するようになされている。これによりこの記録再生装置５は、光ディスクにより提供されるコンテンツをこのハードディスクドライブに記録して繰り返し再生できるようになされ、また他の光ディスクに記録できるようになされている。またＥＭＤ、放送によるコンテンツをハードディスクドライブに記録して繰り返し再生できるようになされ、またこのハードディスクドライブに記録した放送によるコンテンツを光ディスクに記録し、又はＥＭＤ、放送によるコンテンツを直接光ディスクに記録できるようになされている。
【００１９】
記録再生装置５は、このようなコンテンツの記録、再生に係るコンテンツの利用において、この記録再生装置５のユーザーを特定するユーザーＩＤを管理用サーバー６に通知し、この管理用サーバー６による管理により、コンテンツを記録、再生し、また記録の際に、適宜、このユーザーＩＤを各コンテンツに付加する。
【００２０】
すなわち図４は、この記録再生装置５を示すブロック図である。この記録再生装置５において、光ディスクドライブ１２は、コントローラ１１の制御により光ディスクにコンテンツ、ユーザーＩＤ等を記録し、またこの記録したコンテンツ、コンテンツの利用に係る情報、ユーザーＩＤ等を再生して出力する。ハードディスクドライブ１３は、コントローラ１１の制御によりハードディスクにコンテンツ、コンテンツの利用に係る情報、ユーザーＩＤ等を記録し、またこの記録したコンテンツ等を再生して出力する。
【００２１】
インターフェース（Ｉ／Ｆ）１５は、セットトップボックス、モニタ装置等の外部機器との間の入出力回路であり、コントローラ１１の制御により、外部機器によりコンテンツのデータ、コンテンツの利用に係る情報等を入力して光ディスクドライブ１２、ハードディスクドライブ１３に出力し、またこれら光ディスクドライブ１２、ハードディスクドライブ１３で再生されたコンテンツ等をこれら外部機器に出力する。
【００２２】
インターフェース１６は、ＩＤカード１７のインターフェースであり、コントローラ１１の制御によりこのＩＤカード１７に記録されたユーザーＩＤを読み出して出力する。ここでユーザーＩＤは、ユーザーを特定する各ユーザーに固有の識別コードであり、この実施の形態では、未だユーザーＩＤの割り当てられていないコンテンツをこの記録再生装置５で初めて記録再生する場合に、さらにはコンテンツを記録する場合に、このコンテンツに付加されるようになされている。ＩＤカード１７は、ユーザーＩＤを記録したメモリカードである。記録再生装置５においては、フロントパネルに設けられたスロットにこのＩＤカード１７を差し込んで、このインターフェース１６に接続できるようになされている。このコンテンツ流通システム１では、このＩＤカード１７に記録したユーザーＩＤによりユーザーを単位にしてコンテンツの流通を管理できるようになされている。
【００２３】
通信部１４は、例えばインターネットに常時接続されたインターフェースであり、コントローラ１１の制御により、管理用サーバー６にユーザーＩＤ等を送信し、また管理用サーバー６から種々のデータを受信してコントローラ１１に通知する。
【００２４】
コントローラ１１は、この記録再生装置５の動作を制御するコンピュータである。コントローラ１１は、ユーザーによりコンテンツの記録が指示されると、図１に示す処理手順を実行し、管理用サーバー６による許可により、ユーザーにより指示されたコンテンツを光ディスクドライブ１２、ハードディスクドライブ１３により記録する。
【００２５】
すなわちコントローラ１１は、ユーザーにより記録が指示されると、ステップＳＰ１からステップＳＰ２に移り、この記録するコンテンツの送出先への問い合わせにより、記録が指示されたコンテンツにユーザーＩＤが割り当てられているか否か判断する。
【００２６】
ここでこのユーザーによる記録の指示が、光ディスクドライブ１２に装填された光ディスクのコンテンツを再生してハードディスクドライブ１３で記録する場合、コントローラ１１は、光ディスクドライブ１２に光ディスクに記録されたユーザーＩＤの再生を指示する。またこの光ディスクが購入後、１回も再生していない光ディスクの場合、コントローラ１１は、このように光ディスクドライブ１２にユーザーＩＤの再生を指示してもユーザーＩＤを取得し得ず、これによりステップＳＰ２からステップＳＰ３に移るようになされている。
【００２７】
またユーザーによる記録の指示が、外部機器より入力されるコンテンツの場合、コントローラ１１は、インターフェース１５を介した外部機器との間のデータ通信により、この外部機器より記録に係るコンテンツのユーザーＩＤを取得する。このときこのコンテンツがＥＭＤにより配信されたコンテンツの場合、未だユーザーＩＤが付加されていないことにより、ステップＳＰ２からステップＳＰ３に移る。また同様に、このコンテンツがディジタル放送によるコンテンツの場合、未だユーザーＩＤが付加されていないことにより、ステップＳＰ２からステップＳＰ３に移る。これに対してこのコンテンツがハードディスクドライブ１３に記録されたコンテンツの場合、一度再生した光ディスクに記録されたコンテンツの場合、さらには同種の記録再生装置から出力されるコンテンツの場合、ユーザーＩＤが付加されていることにより、ステップＳＰ２からステップＳＰ４に移る。
【００２８】
コントローラ１１は、このステップＳＰ３において、ユーザーＩＤの場合と同様に、記録するコンテンツの送出先への問い合わせにより、記録の指示されたコンテンツについて、コンテンツの利用に係る情報を取得し、このコンテンツの利用に係る情報を管理用サーバー６に通知する。これによりコントローラ１１は、このコンテンツの利用に係る情報により未だユーザーＩＤが割り当てられていないコンテンツか否かの確認を受け、続くステップＳＰ５において、管理用サーバー６から応答により確認が得られたか否か判断する。
【００２９】
ここで肯定結果が得られると、コントローラ１１は、ステップＳＰ５からステップＳＰ６に移り、コンテンツの記録に先立ちユーザーＩＤを記録する。ここでこのコンテンツが未だ再生していない光ディスクに記録されたコンテンツを光ディスクドライブ１２で再生してハードディスクドライブ１３で記録する場合、コントローラ１１は、記録側、再生側の双方で、ユーザーＩＤを記録する。すなわちこの場合、上述した光ディスクの書き換え可能な情報記録面にユーザーＩＤを記録し、またハードディスクドライブ１３においては、所定の管理領域の記録に供するコンテンツと関連付けてユーザーＩＤを記録する。これに対して外部機器から入力されるコンテンツを光ディスクドライブ１２又はハードディスクドライブ１３で記録する場合、これら光ディスクドライブ１２又はハードディスクドライブ１３に対して同様に、ユーザーＩＤの記録を指示する。
【００３０】
このようにしてユーザーＩＤを記録すると、コントローラ１１は、ステップＳＰ７に移り、記録に供するコンテンツについて、インターフェース１６を介して検出されるユーザーＩＤとコンテンツの利用に係る情報とを管理用サーバー６に通知した後、続くステップＳＰ８において、このコンテンツを記録し、ステップＳＰ９に移ってこの処理手順を終了する。
【００３１】
これによりこの記録再生装置５では、初めて光ディスクを再生する場合、さらには未だユーザーＩＤが割り当てられていないコンテンツを記録する場合、各コンテンツにユーザーＩＤを記録し、またこれらの情報をコンテンツの利用に係る情報と共に管理用サーバー６に通知するようになされている。
【００３２】
これに対して例えば光ディスクに記録されたユーザーＩＤをユーザーが故意に消去して新品の光ディスクのように見せかけることも考えられることにより、コントローラ１１においては、この場合、管理用サーバー６による確認によりステップＳＰ５で否定結果が得られることにより、ステップＳＰ５からステップＳＰ１０に移り、ユーザーにその旨通知した後、ユーザーによる記録の指示を無視し
、ステップＳＰ９に移ってこの処理手順を終了する。
【００３３】
これに対してステップＳＰ２で否定結果が得られると、コントローラ１１は、ステップＳＰ２からステップＳＰ４に移る。ここでコントローラ１１は、インターフェース１６を介して検出されるユーザーＩＤを、コンテンツの利用に係る情報と共に管理用サーバー６に通知し、管理用サーバー６によりコピーの許可を受け付ける。このときコントローラ１１は、インターフェース１６を介して検出されるユーザーＩＤが、コンテンツより検出されるユーザーＩＤと異なる場合、併せてその旨を管理用サーバー６に通知する。コントローラ１１は、これにより続くステップＳＰ１１において、管理用サーバー６によりコピーが許可されたか否か判断し、ここで肯定結果が得られると、ステップＳＰ７に移り、コピーの開始を管理用サーバー６に通知する。
【００３４】
これに対してステップＳＰ１１で否定結果が得られると、コントローラ１１は、ステップＳＰ１１からステップＳＰ１２に移り、コピーをできない旨、ユーザーに通知した後、ユーザーによる指示を無視してステップＳＰ９に移り、この処理手順を終了する。これによりこの記録再生装置５では、管理用サーバー６の許可によりコンテンツのコピーを実行するようになされている。
【００３５】
これに対してユーザーによりコンテンツの再生が指示されると、図５に示す処理手順を実行し、管理用サーバー６による許可により、ユーザーにより指示されたコンテンツを再生する。
【００３６】
すなわちコントローラ１１は、ユーザーにより記録が指示されると、ステップＳＰ２１からステップＳＰ２２に移り、このコンテンツが記録されてなる光ディスクドライブ１２又はハードディスクドライブ１３への問い合わせにより、再生が指示されたコンテンツにユーザーＩＤが割り当てられているか否か判断する。
【００３７】
ここで否定結果が得られると、コントローラ１１は、ステップＳＰ２２からステップＳＰ２３に移り、ユーザーＩＤの場合と同様の問い合わせにより、再生の指示されたコンテンツについて、コンテンツの利用に係る情報を取得し、このコンテンツの利用に係る情報を管理用サーバー６に通知する。これによりコントローラ１１は、このコンテンツの利用に係る情報により未だユーザーＩＤが割り当てられていないコンテンツか否かの確認を受け、続くステップＳＰ２４において、管理用サーバー６からの応答により確認が得られたか否か判断する。
【００３８】
ここで肯定結果が得られると、コントローラ１１は、ステップＳＰ２４からステップＳＰ２５に移り、コンテンツの再生に先立ちユーザーＩＤを記録する。すなわちこの場合、未だ１回も再生していない光ディスクに記録されたコンテンツを光ディスクドライブ１２で再生する場合であることにより、コントローラ１１は、光ディスクドライブ１２にユーザーＩＤの記録を指示する。
【００３９】
このようにしてユーザーＩＤを記録すると、コントローラ１１は、ステップＳＰ２６に移り、再生に供するコンテンツについて、ユーザーＩＤとコンテンツの利用に係る情報とを管理用サーバー６に通知した後、続くステップＳＰ２７において、このコンテンツを再生し、ステップＳＰ２８に移ってこの処理手順を終了する。
【００４０】
これによりこの記録再生装置５では、初めて光ディスクを再生する場合、光ディスクにユーザーＩＤを記録し、またこのユーザーＩＤとコンテンツの利用に係る情報と共に管理用サーバー６に通知するようになされている。
【００４１】
これに対して例えば光ディスクに記録されたユーザーＩＤをユーザーが故意に消去して新品の光ディスクのように見せかけることも考えられることにより、コントローラ１１においては、この場合、管理用サーバー６による確認によりステップＳＰ２４で否定結果が得られ、ステップＳＰ２４からステップＳＰ２９に移り、ユーザーにその旨通知する。続いてコントローラ１１は、ユーザーによる記録の指示を無視して、ステップＳＰ２８に移り、この処理手順を終了する。
【００４２】
これに対してステップＳＰ２２で肯定結果が得られると、コントローラ１１は、ステップＳＰ２２からステップＳＰ３０に移る。ここでコントローラ１１は、管理用サーバー６に、インターフェース１６を介して検出されるユーザーＩＤ、コンテンツより検出されるコンテンツの利用に係る情報を通知し、管理用サーバー６により再生の許可を受け付ける。この場合もコントローラ１１は、インターフェース１６を介して検出されるユーザーＩＤと、コンテンツから検出されるユーザーＩＤとが相違する場合、その旨、管理用サーバー６に通知する。コントローラ１１は、これにより続くステップＳＰ３１において、管理用サーバー６により再生が許可されたか否か判断し、ここで肯定結果が得られると、ステップＳＰ２６に移り、コンテンツの再生開始を管理用サーバー６に通知する。
【００４３】
これに対してステップＳＰ３１で否定結果が得られると、コントローラ１１は、ステップＳＰ３１からステップＳＰ３２に移り、再生できない旨、ユーザーに通知した後、ユーザーによる指示を無視してステップＳＰ２８に移り、この処理手順を終了する。これによりこの記録再生装置５では、管理用サーバー６の許可によりコンテンツを再生するようになされている。
【００４４】
かくするにつき管理用サーバー６は、このような記録再生装置５におけるコンテンツの記録再生を管理するコンピュータである。すなわち図６は、この管理用サーバー６の構成を示すブロック図である。この管理用サーバー６において、通信部２１は、例えばインターネット等のネットワークを介して記録再生装置５から送出されたデータを中央処理ユニット（ＣＰＵ）２２に通知し、またこの中央処理ユニット２２からの通知を記録再生装置５に通知する。
【００４５】
中央処理ユニット２２は、このリードオンリメモリ（ＲＯＭ）２３の記録に従ってランダムアクセスメモリ（ＲＡＭ）２４にワークエリアを確保してハードディスクドライブ（ＨＤＤ）２５に記録された所定の処理手順を実行することにより、ハードディスクドライブ２５に管理用データベース（管理用ＤＢ）２５Ａを構築し、またこの管理用データベース２５Ａの記録に従って記録再生装置５における記録再生の処理を管理する。
【００４６】
ここで管理用データベース２５Ａは、図７に示すように、ユーザーＩＤ、コンテンツＩＤ、ソースＩＤ、制限情報、履歴情報を記録して構成される。ここでユーザーＩＤ、コンテンツＩＤ、ソースＩＤ、制限情報は、記録再生装置５からの通知による情報である。これに対して履歴情報は、記録再生装置５からの通知により、再生、コピーの回数等が記録されて構成されるようになされている。
【００４７】
これによりこの管理用サーバー６の中央処理ユニット２２においては、ステップＳＰ２及びステップＳＰ２２について上述したユーザーＩＤが記録されていないとして記録再生装置５から確認が求められると、このコンテンツＩＤ、ソースＩＤを基準にしてこの管理用データベース２５Ａの記録を検索する。またこの検索結果に基づいて、この確認が求められたコンテンツが記録媒体に記録された各記録媒体に固有のコンテンツＩＤが設定されたコンテンツであって、ＥＭＤ、配信によるもので無い場合、この記録媒体がこの管理用データベース２５Ａに未登録であることにより、確認ＯＫの応答を返すようになされている。これに対してソースＩＤにより配信、放送に係るコンテンツと判断できる場合、同様に、確認ＯＫの応答を返すようになされている。
【００４８】
またこのように確認してさらに記録再生装置５から記録、再生が通知されると、この通知によるユーザーＩＤ、コンテンツＩＤ、ソースＩＤにより管理用データベース２５Ａを検索し、未だ未記録の場合には、新たにレコードを形成してこの通知に係るユーザーＩＤ、コンテンツの利用に係る情報を記録し、さらにコピー、再生の履歴を記録する。これに対して既に管理用データベース２５Ａに記録済の場合には、履歴情報を更新する。
【００４９】
またこのようにして管理用データベース２５Ａを管理して、記録再生装置５から再生、コピーの確認が求められると、同様のユーザーＩＤ、コンテンツＩＤ、ソースＩＤによる管理用データベース２５Ａの検索により、該当する記録を検出する。またこの検出した記録における履歴情報、制限情報との比較により、記録再生装置５から確認の求められたコピー、再生が、当初設定されている制限情報を逸脱するものか否か判断し、この判断結果による再生、コピーの許可、不許可を記録再生装置５に通知する。なおこの場合、中央処理ユニット２２は、インターフェース１６を介して検出されるユーザーＩＤとコンテンツから検出されるユーザーＩＤとが相違している旨、記録再生装置５から通知されると、このような相違の基でも再生、コピー可とするか否か、制限情報の記録により確認して通知するようになされている。これによりこの実施の形態では、異なる所有者の光ディスクを記録再生装置５で再生、コピーする場合に、制限情報により許可、不許可を判断するようになされている。
【００５０】
（２）実施の形態の動作
以上の構成において、このコンテンツ流通システム１では、ユーザーが販売店で購入する光ディスク等の記録媒体においては、この光ディスクに記録されたコンテンツ毎に、コンテンツを特定するコンテンツＩＤ、各コンテンツの供給源がこの光ディスクであることを示すソースＩＤ、各コンテンツの利用制限を示す制限情報が各コンテンツに付加された状態で、ユーザーに提供される。
【００５１】
このコンテンツ流通システム１では、このようにして購入した光ディスクを記録再生装置５で再生、コピーする場合、記録再生装置５において、ユーザーを特定するユーザーＩＤが記録されていないことにより、コンテンツＩＤ、ソースＩＤにより管理用サーバー６に確認が求められ、これにより正規により購入した商品であって、未だ１回も再生していない光ディスクと判定されると、この光ディスクにＩＤカード１７に記録されたユーザーＩＤが記録される。
【００５２】
また管理用データベース２５Ａに、ユーザーＩＤ、コンテンツＩＤ、ソースＩＤ、制限情報が記録され、また再生、コピーの履歴が記録され、これによりこの光ディスクの記録再生の管理が管理用サーバー６により開始される。すなわちこの場合、この実施の形態においては、このようにして購入した光ディスクについては、最低、１回は、再生又はコピーが許可されることになる。
【００５３】
このようにしてユーザーＩＤを記録した光ディスクを再び記録再生装置５で再生、コピーする場合、このコンテンツ流通システム１では、記録再生装置５において光ディスクに記録したユーザーＩＤが検出され、これによりインターフェース１６を介して検出されるＩＤカードのユーザーＩＤが、光ディスクを再生して得られるコンテンツＩＤ、ソースＩＤと共に管理用サーバー６に通知される。また光ディスクに記録されたユーザーＩＤと、インターフェース１６を介して検出されるユーザーＩＤとが相違する場合には、その旨、管理用サーバー６に通知される。この通知により管理用サーバー６では、この場合、コンテンツＩＤ、ソースＩＤを基準にして管理用データベース２５Ａが検索され、この再生、コピーに係る光ディスクの制限情報、履歴情報が検出される。
【００５４】
さらにこの制限情報、履歴情報により、制限情報により制限される事態に至っているか否か判断され、この判断結果により再生、コピーの許可、不許可が記録再生装置５に通知される。具体的に、コピーを何ら制限しないとの条件が制限情報に記録されている場合、管理用サーバー６においては、記録再生装置５からのコピーに係る問い合わせに対して、コピーの不許可を記録再生装置５に通知する。また例えばコピー回数が３回に制限されている場合に、履歴情報より過去、既に３回コピーしている場合、コピーの許可を記録再生装置５に通知する。また例えば再生回数が１０回に制限されている場合に、履歴情報より過去、既に１０回再生している場合、再生の不許可を記録再生装置５に通知する。またインターフェース１６を介して検出されるユーザーＩＤと光ディスクより検出されるユーザーＩＤとが相違している場合に、第三者による再生、コピーを禁止する旨の制限情報が設定されている場合、再生、コピーの不許可を記録再生装置５に通知するのに対し、このような第三者による利用の制限が制限情報に設定されていない場合、履歴情報、制限情報による他の条件によりコピーの許可、不許可を通知する。
【００５５】
これらによりこのコンテンツ流通システム１では、光ディスクの製作者が設定した制限の範囲で、ユーザーにおいて、このコンテンツを利用できるようになされている。従って例えば販売価格を低く設定してその分、再生回数を制限し、さらにはコピーを何ら許可しない場合、これとは逆に、販売価格を高く設定してその分、何らコピー等の回数を制限しない場合等、また他人より借りた光ディスクについては再生、コピーを許可しない場合、さらにはこのような光ディスクであっても、何らコピー、再生を制限しない場合等、コンテンツ提供側の意図する保護形態に柔軟に対応して、適切にコンテンツを保護できるようになされている。因みに、このように管理用サーバー６側でコンテンツを管理することにより、コンテンツを再生、コピーするアプリケーションプログラムを再インストールするようにしても、コピー回数等については、著作権者側の意図する形態により保護することができる。
【００５６】
かくするにつきこのようにして光ディスクの再生が許可された場合、記録再生装置５では、コントローラ１１の制御により光ディスクドライブ１２で光ディスクが再生され、この再生したコンテンツがインターフェース１５を介して外部機器に出力され、この外部機器によりこのコンテンツがユーザーに提供される。
【００５７】
これに対して光ディスクのコピーが許可された場合、コントローラ１１の制御により光ディスクドライブ１２で光ディスクが再生され、この再生したコンテンツがハードディスクドライブ１３により記録される。この記録の際に、この記録再生装置５では、インターフェース１６を介して検出されるＩＤカード１６のユーザーＩＤ、光ディスクに記録済のコンテンツＩＤ、ソースＩＤ、制御情報が併せてハードディスクドライブ１３に記録される。
【００５８】
これによりこの記録再生装置５では、このようにして光ディスクからハードディスクドライブ１３にコピーしたコンテンツについて、ユーザーにより再生が指示され、また光ディスクドライブ１２へのコピーが指示された場合、コンテンツに設定されたコンテンツＩＤ、ソースＩＤにより管理用データベース２５Ａの内容が検索され、この場合、このコンテンツのコピー元である光ディスクを最初に再生したときに管理用データベース２５Ａに記録された対応する記録が検出される。さらにこの記録による制限情報、履歴情報との比較により、同様にして、再生の許可、不許可、コピーの許可、不許可が管理用サーバー６から記録再生装置５に通知され、この通知により、このコンテンツが再生、コピーされる。これによりこのコンテンツ流通システム１では、ＳＣＭＳの場合と同様に、いわゆる孫コピー以降を禁止する等の複数世代によるコピーを禁止することができる。またこのようなコピーの禁止について、一旦、光ディスクドライブ１２に記録した後の、第４世代のコピーを禁止する場合、さらにはこの光ディスクドライブ１２に記録した次の世代のコピーを禁止する場合等、ＳＣＭＳによる場合に比して、一段と細かくコピーを世代管理することができ、これによっても著作権者側の意図に柔軟に対応してコンテンツを管理することができる。
【００５９】
これらによりこのコンテンツ流通システム１では、光ディスクにより提供されるコンテンツについて、管理用サーバー６により一元的に管理して、著作権者側の意図に柔軟に対応して著作権を有効に保護することができるようになされている。
【００６０】
これに対してＥＭＤ、ディジタル放送によるコンテンツをハードディスクドライブ１３で記録する場合、記録再生装置５では、このコンテンツに設定されたコンテンツＩＤ、ソースＩＤ、制限情報が、インターフェース１６を介して検出されるユーザーＩＤと共に管理用サーバー６に通知され、管理用データベース２５Ａに記録される。かくするにつき、光ディスクに記録されて提供されるコンテンツについては、ディスクＩＤが割り当てられてなるソースＩＤにより管理用データベース２５Ａに記録された同一のコンテンツＩＤによる制限情報、履歴情報が区別されるのに対し、このようにＥＭＤ、ディジタル放送に係るコンテンツについては、このコンテンツを複数のユーザーがそれぞれ同種の装置により同時に記録する場合もあることにより、管理用データベース２５Ａにおいては、この場合、同一のコンテンツＩＤ、ソースＩＤにより制限情報、履歴情報が記録され、これらはユーザーＩＤにより区別されることになる。
【００６１】
これによりこのようにしてハードディスクドライブ１３に記録したコンテンツを再生し、またコピーする場合、ユーザーＩＤ、コンテンツＩＤ、ソースＩＤにより対応する制限情報、履歴情報が検索され、これらの比較により、管理用サーバー６から記録再生装置５に再生の許可、不許可、コピーの許可、不許可が通知される。
【００６２】
これによりこのコンテンツ流通システム１では、ＥＭＤ、ディジタル放送により提供されるコンテンツについても、管理用サーバー６により一元的に管理して、著作権者側の意図に柔軟に対応して著作権を有効に保護することができる。
【００６３】
（３）実施の形態の効果
以上の構成によれば、通信可能に保持された管理用サーバーにより、少なくともコンテンツＩＤ、ユーザーＩＤ、ソースＩＤを記録し、この記録による管理によりコンテンツの利用を制限することにより、従来に比して、一段と確実かつ柔軟に著作権を保護することができるようにする。
【００６４】
（４）他の実施の形態
なお上述の実施の形態においては、コンテンツ側より制限情報を取得して管理用データベースを構築する場合について述べたが、本発明はこれに限らず、別途、著作権者側のサーバー等より制限情報を取得して管理用データベースを構築するようにしてもよい。
【００６５】
また上述の実施の形態においては、コンテンツの再生の許可、不許可、コピーの許可、不許可を通知してコンテンツを管理する場合について述べたが、本発明はこれに限らず、コンテンツの再生に必要なキーの送受によりコンテンツを管理するようにしてもよい。
【００６６】
また上述の実施の形態においては、ＩＤカードより検出されるユーザーＩＤとコンテンツより得られるユーザーＩＤとが相違している場合についても、その旨通知して管理用サーバー側でコピーの許可等を判断する場合について述べたが、本発明はこれに限らず、この場合、記録再生装置側で判断するようにしてもよく、またこの場合、このようにＩＤカードより検出されるユーザーＩＤとコンテンツより得られるユーザーＩＤとが相違している場合の利用の制限が制限情報に記録されている場合に限り、管理用サーバーからの通知によりこれらユーザーＩＤの相違を判断するようにしてもよい。
【００６７】
また上述の実施の形態においては、ＩＤカードから検出されるユーザーＩＤと、コンテンツから検出されるユーザーＩＤが相違する場合、その旨通知する場合について述べたが、本発明はこれに限らず、これら相違する２つのユーザーＩＤを管理用サーバーに通知し、履歴情報として管理に役立てるようにしてもよい。このようにすれば、さらに一段とコピーを世代管理することができ、またコンテンツの流通把握にも役立てることができる。
【００６８】
また上述の実施の形態においては、管理用サーバーとの間で記録再生装置を常時接続する場合について述べたが、本発明はこれに限らず、記録、再生時のみ、接続するようにしてもよく、また制限情報により例えば記録時のみ接続するようにしてもよく、さらには所定の再生、コピー回数毎に、管理用サーバーに接続するようにしてもよい。
【００６９】
また上述の実施の形態においては、単に再生、コピーの許可、不許可を管理する場合について述べたが、本発明はこれに限らず、再生、コピーを不許可とする場合に、改めてコンテンツの購入を受け付けて再生、コピー可とするようにしてもよい。
【００７０】
また上述の実施の形態においては、一部領域が書き換え可能な領域である光ディスクにユーザーＩＤを記録する場合について述べたが、本発明はこれに限らず、再生専用の光ディスクに適用して、反射膜の反射率を局所的に低下させてユーザーＩＤを記録する場合等、種々の記録方法を広く適用することができる。
【００７１】
また上述の実施の形態においては、光ディスク、ハードディスクにコンテンツを記録し、再生する場合について述べたが、本発明はこれに限らず、例えばメモリカード等、種々の記録媒体に記録、再生する場合に広く適用することができる。
【００７２】
【発明の効果】
上述のように本発明によれば、通信可能に保持された管理用サーバーにより、少なくともコンテンツＩＤ、ユーザーＩＤ、ソースＩＤを記録し、この記録による管理によりコンテンツの利用を制限することにより、従来に比して、一段と確実かつ柔軟に著作権を保護することができる。
【図面の簡単な説明】
【図１】本発明の実施の形態に係るコンテンツ流通システムにおける記録再生装置の動作の説明に供するフローチャートである。
【図２】本発明の実施の形態に係るコンテンツ流通システムを示すブロック図である。
【図３】コンテンツの利用に係る情報の説明に供する図表である。
【図４】図２のコンテンツ流通システムにおける記録再生装置を示すブロック図である。
【図５】図４の記録再生装置の動作の説明に供するフローチャートである。
【図６】図２のコンテンツ流通システムにおける管理用サーバーを示すブロック図である。
【図７】図６の管理用サーバーにおける管理用データベースを示す図表である。
【符号の説明】
１……コンテンツ流通システム、２……光ディスク、３……音楽コンテンツ、４……映像コンテンツ、５……記録再生装置、６……管理用サーバー、１１……コントローラ、１７……ＩＤカード、２５Ａ……管理用サーバーデータベース
【図１】
2004206826.tif 000003
【図２】
2004206826.tif 000004
【図３】
2004206826.tif 000005
【図４】
2004206826.tif 000006
【図５】
2004206826.tif 000007
【図６】
2004206826.tif 000008
【図７】
2004206826.tif 000009